Podtech/llm-jp-corpus-v4-ja_patent huggingface dataset:
(57)【要約】      （修正有）【課題】缶蓋の開口時タブに容易に指先を入れ易くした、ステイオンタブの蓋を使った缶を提供する。【解決手段】缶蓋の中心にセットされたステイオンタブの飲み口に接する部分と指先を入れる部分を、蓋の積層に支障のない範囲で上向きのシ−ソ−状にして、蓋との間隙を大きく設け、指先を入れ易くしようとした。蓋面の両端にかかる直線状の溝を数本設けて、ビ−ル、炭酸飲料等の内容物の膨脹による蓋面の膨れ上がりを制止し、シ−ソ−状ステイオンタブのセットを可能にした。【選択図】図８
0003123661.tif 000002
【実用新案登録請求の範囲】
【請求項１】
缶蓋に設けられたタブの飲み口に接する部分と持ち上げる部分を、蓋の積層に支障のない範囲までシ−ソ−状の上向きの形状にして、蓋面との間隙を設け、缶内の膨脹による蓋の膨れ上がりを制止するために、蓋面に複数の両端にかかる直線状の深い溝を設け、タブの飲み口に接する上向きの部分を補強するために、リベット部分の両側を可能な限り深くして、切り落とさずに外側に複数層に重ねて折り曲げ、缶蓋に設けられたタブの引っ掛かり等による回転を確実に制止するために、タブの中央のカシメ部分の横側に穴を設け、蓋面からの凸部をタブ平面よりも支障のない限り高くして、セットし、蓋面からの凸部をタブにセットし、その凸部上部をリベットしたことを特徴とするステイオンタブの蓋を使った缶。
【考案の詳細な説明】
［考案の詳細な説明］
【０００１】［産業上の利用分野］
この考案は、缶蓋の開口時タブに容易に指先を入れ易くした、ステイオンタブの蓋を使った缶に関するものである。
【０００２】［従来の技術］
従来のステイオンタブ缶蓋は、タブが蓋面に密着して開口時指先が入れ難く開口が困難であり、苦痛でもあった。
【考案が解決しようとする課題】
【０００３】従来のステイオンタブ缶蓋は、タブが蓋面に密着して開口時指先が入れ難く大勢のユ−ザ−に苦痛を与えていた。
【課題を解決するための手段】
【０００４】本考案は、缶蓋の中心にセットされたステイオンタブの飲み口に接する部分と指先を入れる部分を、蓋の積層に支障のない範囲で上向きのシ−ソ−状にして、蓋との間隙を大きく設け、指先を入れ易くしようとしたものである。
【０００５】蓋面の両端にかかる直線状の溝を数本設けて、ビ−ル、炭酸飲料等の内容物の膨脹による蓋面の膨れ上がりを制止し、シ−ソ−状ステイオンタブのセットを可能にしたものである。
【０００６】飲み口に接する部分のタブ上向き部分の開口時、腰折れを補強するためリベット部分の両側を、可能な限り長く切り落とさず外側に複数層に折り曲げて、強度を２倍又は３倍に補強しようとしたものである。
【０００７】タブの回転を制止するために、タブ中央リベット部分の横側に円形の穴を設け、蓋面からの凸部の高さを、タブの平板よりも支障のない限り高くしてセットし、又凸部の上部分をリベットして固定化し、確実に制止しようとしたものである。
【０００８】［作用］
缶蓋の中央にリベットされたステイオンタブの飲み口を押さえる部分と、指先を入れる部分とを、シ−ソ−状に形成しようとしたものであり、飲み口に接する部分のタブを指先で下に押した時、持ち上げ部分のタブに指先の入る間隙が大きくなり、指先を痛めずに容易に入り易くしたものである。
【０００９】蓋面の両端にかかる直線状の深い溝を数本設けて、内容物の膨脹による蓋面の膨れ上がりを押さえ、シ−ソ−状のステイオンタブのセットを可能にしようとしたものである。
【実施例】
【００１０】実施例については図面を参照にして説明する。
図１は請求項１で説明したシ−ソ−状ステイオンタブ缶蓋の斜視図である。
カシメ部分を中心に左右上向きのシ−ソ−状にして、蓋面との間隙を設けたものである。
図２は請求項１で説明したシ−ソ−状ステイオンタブを積み重ねた斜視図である。
蓋の積層に支障のない範囲内での上向き形状にしたものである。
図３は請求項１で説明したステイオンタブ蓋面の断面図である。
蓋面タブの左右に複数の両端にかかる深い溝を設けて、膨れ上がりを制止したものである。
図４は請求項１で説明した斜視図であり、斜線の部分は外側に折り曲げる部分である。
図５は請求項１で説明した斜視図であり、斜線の部分は補強した部分である。
図６は請求項１で説明した斜視図であり、符号３１は横ずれ防止の凸部である。
図７は請求項１で説明した斜視図であり、符号３１ａはリベットした凸部である。
【考案の効果】
【００１１】本考案は以上説明したような形態で実施され、以下に記載されるような効果を奏する。
【００１２】本考案はステイオンタブを上向きのシ−ソ−状の形態にすることにより、開口時容易に指先を痛めずタブを持ち上げることを可能にしたものである。
【００１３】本考案は、外的要因によってタブの水平回転の危険を制止するために固定化し、開口時の支障をなくしたものである。
【００１４】本考案は、蓋面に深い溝を複数本設けることによって、缶内の内容物の膨脹による蓋面の膨れ上がりを押さえ、ステイオンタブのセットを可能にしたものである。
【００１５】本考案は、タブ上向き部分の補強により開口時の腰折れと、又引っ掛かりによる曲げ折りの危険を制止したものである。
【図面の簡単な説明】図面については、説明の実施例において述べた通りである。
【図１】は請求項１で述べた斜視図である。
【図２】は請求項１で述べた斜視図である。
【図３】は請求項１で述べた断面図である。
【図４】は請求項１で述べた斜視図である。
【図５】は請求項１で述べた斜視図である。
【図６】は請求項１で述べた斜視図である。
【図７】は請求項１で述べて斜視図である。
【図８】は請求項１で述べた斜視図である。
【符号の説明】
１５    缶蓋
１７    タブ
１７ａ  タブ開口接触部分
１７ｂ  タブ持ち上げ部分
１８    外側に折り曲げる切断線
１９    タブカシメ凸部
１９ａ  タブカシメ凸部リベット部分
２０    外側に折り曲げ重ねた部分
２１    ステイオン切断線
２３    開口部分
２５    折り曲げる部分
３１    回転防止凸部
３１ａ  回転防止凸部のリベット部分
【図１】
0003123661.tif 000003
【図２】
0003123661.tif 000004
【図３】
0003123661.tif 000005
【図４】
0003123661.tif 000006
【図５】
0003123661.tif 000007
【図６】
0003123661.tif 000008
【図７】
0003123661.tif 000009
【図８】
0003123661.tif 000010
(57)【要約】      （修正有）【課題】地面に触れてホースが汚れることと、行き来する際にホースがねじれて物に触れることを防止する。【解決手段】高所に固定したレール１を自由に行き来できるコマ６と、コイル状に撒かれたゴム製のホース２の中間部分に一定間隔に取り付けた部品８とを固定し吊るすことによりホースを地表に接触させることなく、ホースの扱いを軽くする事ことを可能とする。【選択図】図１
0003123667.tif 000002
【実用新案登録請求の範囲】
【請求項１】
高所に固定したレールを自由に行き来できるコマと、コイル状に撒かれたゴム製のホースの中間部分に一定間隔に取り付けた部品とを固定し吊るすことによりホースを地表に接触させることなく、ホースの扱いを軽くする事ことを特徴とする吊ホース。
【考案の詳細な説明】
【技術分野】
【０００１】  本考案は、コイル状に撒かれたゴム製のホース自身の弾力と重さを利用したものである。
【背景技術】
【０００２】  温室内の農作物にホースで水を撒く場合ホース自身が地面を這い汚れる。また、ホースを伸ばしながら水を撒いてきて中継点を折り返し戻る際にホースがねじれて作物に接触し傷つけることがあった。また、ホースの巻き取りながらの作業は労働的負担である。【０００３】  スプリンクラーでも水は撒けるが死角ができ、均等に水を撒くことができなく、成長具合によって微小な調整ができない。また、設備の規模が大きくなる。
【考案の開示】
【考案が解決しようとする課題】
【０００４】  解決しようとする問題点は、地面に触れてホースが汚れることと、行き来する際にホースがねじれて物に触れることである。
【課題を解決するための手段】
【０００５】  本考案は、高所にレールを設置しコイル状のホースに部品を付け、レールを自由に行き来できるコマに固定しカーテンの様に吊るすことを特徴とする。
【考案の効果】
【０００６】  本考案のホースは、中間部がレールから絶えず吊るされた状態になるので汚れることがなく地上の置かれた物に接触することがない。
【考案を実施するための最良の形態】
【０００７】  ホースの弾力、重さによってホースに取り付ける部品の間隔を調整することでカーテンの様に広げたり閉じたりできる。【０００８】  ホースの弾力と重さによるコマとコマの間隔を縮ませようとする力よりコマとレールの摩擦力が少し大きくなるように取り付ける部品の間隔を調整することでホースの出口側が自然に入口側に引き寄せられることがなく、ホースの扱いが微小な力で行える。
【実施例】
【０００９】  図１は本考案の実施例である。１はレールで天井に取り付けてあり（取り付け方法は図示せず）、中に６のコマが複数入っていてレールの中を自由に移動できる。７はフックでコマに取り付けてあり、レールの下側の溝に通す。【００１０】  ２はホースで３の中間部に８の取り付け部品を一周ごとにホースが滑らないように取り付け、フックに引っ掛ける。４はホースの入口側で、５は出口側である。【００１１】  図２はホースの入口側を固定し、出口側部分をレールに沿って遠ざけ、ホースが伸びた状態の部分図
【産業上の利用可能性】
【００１２】  レールの形を人の通り道に合わせて曲げて設置すれば自動車の洗浄にも適用できる。
【図面の簡単な説明】
【００１３】
【図１】吊ホースの実施例を示した説明図である。
【図２】吊ホースを伸ばした状態の部分図である。
【符号の説明】
【００１４】  １  レール
２  ホース
３  ホース中間部
４  ホース入口側
５  ホース出口側
６  コマ
７  フック
８  取り付け部品
【図１】
0003123667.tif 000003
【図２】
0003123667.tif 000004
(57)【要約】      （修正有）【課題】従来のダイヤモンドチップ形状では、切削粉の排出が悪くダイヤモンドチップが目詰まりを起こし切削が出来なくなり、摩擦でチップが高温になり、焼けてしまう。ダイヤモンドチップは、高価な為ライフを長くする。【解決手段】切削粉の掃き出し角度を左右につけることで、切削粉は、切削溝から掃きだしされる。切削粉を掃きだしすることで、目詰まりさせないことでダイヤモンドチップの切削性能が保たれ切削スピードが持続できコスト低減が出来る。【選択図】図６
0003123641.tif 000002
【実用新案登録請求の範囲】
【請求項１】
コンクリート切断におけるダイヤモンドカッターブレードで切削粉を掃き出し出来るように角度を付けたダイヤモンド切削チップ。
【考案の詳細な説明】
【技術分野】
【０００１】  本考案は、コンクリート切削工具に使用するダイヤモンドカッターチップ形状に関する。
【背景技術】
【０００２】  従来のダイヤモンドチップ形状では、切削粉を逃がす角度が無い（図５  Ｃ）。
【考案の開示】
【考案が解消しようとする課題】
【０００３】  従来のダイヤモンドチップ形状では、切削粉を逃がす角度が無い為、ダイヤモンドチップが目詰まりを起こし、切削出来なくなってしまう。切削出来ないダイヤモンドチップは、摩擦熱が上がりチップが焼けて切削としての機能を失う。
【課題を解決するための手段】
【０００４】  そこで、ダイヤモンドチップに切削粉をコア左右方向に掃き出し角度（図６  Ａ  Ｂ）を付け切削粉の排出をしやすくする。
【考案の効果】
【０００５】  切削粉の排出が出来れば、ダイヤモンドチップは、目詰まりを起こさず本来の切削が持続でき、従来よりライフ、切削スピードが向上しコストダウン出来る。
【考案を実施するための最良の形態】
【０００６】  本考案に係るダイヤモンドチップ２は、図６に示すように、チップの前部の掃き出し角度右Ａと左Ｂを付ける。掃き出し角度ＡとＢを付けることでチップ全体のバランスが保たれる形状が望ましく、掃き出し角度が大きすぎるとチップ切削面積が減少しライフが短くなるので、掃き出し効率とライフを考慮すれば掃き出し角度は、Ａ  Ｂ共に４５度が最適。
【図面の簡単な説明】
【０００７】
【図１】  従来のダイヤモンドカッターブレード正面図
【図２】  本考案のダイヤモンドカッターブレード正面図
【図３】  従来のダイヤモンドカッターブレード側面の断面図
【図４】  本考案のダイヤモンドタッターブレード側面の断面図
【図５】  従来のダイヤモンドチップ拡大図
【図６】  本考案のダイヤモンドチップ正面図
【符号の説明】
【０００８】１      ダイヤモンドカッターブレード本体
２      従来のダイヤモンド切削チップ
３      本考案形状ダイヤモンドチップ
４      切削粉と方向
５      本考案形状ダイヤモンドチップ
６      切削粉と方向
Ａ      粉掃きだし角度
Ｂ      粉掃きだし角度
Ｃ      粉掃きだし角度
【図１】
0003123641.tif 000003
【図２】
0003123641.tif 000004
【図３】
0003123641.tif 000005
【図４】
0003123641.tif 000006
【図５】
0003123641.tif 000007
【図６】
0003123641.tif 000008
(57)【要約】      （修正有）【課題】並列回路を自分の力で容易に作成でき、電圧計等の測定機器を正しくつなぎ、電圧を正しく測定することができ、児童・生徒が自分の力で実験することができる。【解決手段】並列回路用自作リード線を使用する。リード線およびみの虫クリップが色分けされており，さらに色分けされたリード線が枝分かれして繋がっているため，児童・生徒は容易に並列回路を作ることができる。また，リード線の途中に，被膜をはがしハンダ処理した測定箇所を作ったことと，ラベルを用いたことにより，電圧の測定箇所が明瞭になり，測定箇所の誤りを防ぐことができる。【選択図】図１
0003123644.tif 000002
【実用新案登録請求の範囲】
【請求項１】
リード線を色分けして三つ叉のリード線を自作し，児童・生徒が容易に並列回路をつくることができる並列回路用リード線。
【請求項２】
前記リード線は，赤と黒に色分けし，リード線の中間の皮膜をはがした部分をハンダ処理し，電圧計等の測定機器をつなぎやすくするとともに，電圧の大きさを正しく読み取ることができるリード線。
【請求項３】
みの虫クリップも赤と黒に色分し，電流の流れる方向を把握しやすくするとともに，リード線の皮膜をはがした部分（以下測定箇所とする）に，書き直し可能なラベルを貼り，電圧計の接続における測定箇所の誤りを防ぐことができるリード線。
【考案の詳細な説明】
【技術分野】
【０００１】  この考案は，小中学校およびその他の教育機関における，電流の実験に用いる並列回路作成用リード線に関する。
【背景技術】
【０００２】  並列回路を作成しようとする場合，従来は図２に示すリード線の接続による配線である。
【考案の開示】
【考案が解決しようとする課題】
【０００３】  従来のリード線による並列回路の実験では，配線が複雑で，リード線自体も長いため，児童・生徒が自分の力で並列回路を作成できなかったり，電圧計で電圧を測定する際，測定箇所がわからなかったり，電圧計の接続がうまくできないことが多かった。そこで，この考案は，並列回路を自分の力で容易に作成でき，電圧計等の測定機器を正しくつなぎ，電圧の測定等の実験において，電圧を正しく測定することができ，児童・生徒が自分の力で実験することができることを課題とする。
【考案を解決するための手段】
【０００４】  以上の課題を解決するために，第一考案は，リード線を色分けした並列回路用リード線である。第二考案は，リード線の途中の被膜をはがし，電圧計等の測定機器をつなぎやすくするリード線である。第三考案は，みの虫クリップを色分けし，電流の流れる方向を把握しやすくするとともに，その部分に書き直し可能なラベルを貼ることで，測定箇所の誤りを防ぐことができる並列回路用自作リード線である。
【考案の効果】
【０００５】  第一考案，または第二考案，第三考案によれば，リード線を色分けし，測定箇所をつくり，測定箇所にラベルを貼ること，さらにみの虫クリップも色分けすることにより，児童・生徒が並列回路の実験を正しく自分の力で行うことができ，学習課題の解決をスムーズに行うことができる。
【考案を実施するための最良の形態】
【０００６】  この考案の一実施形態を，図１に示す。
並列回路用自作リード線の本体１は，市販のリード線を，赤・黒・青の３種類用意し，それぞれをハンダ付けし，並列にした２本のリード線の中間部分の被膜をはぎ（測定箇所），ハンダ処理し，さらに書き直し可能なラベルをその部分に貼るようにする。これにより，測定箇所の誤りを防げる。以上のことにより，児童・生徒が自分の力で並列回路を作成でき，電圧の測定を容易にする。【０００７】「実施形態の効果」
この実施形態によれば，リード線を色分けし，赤・黒・青をそれぞれ三つ叉にハンダづけし，並列にしたリード線により，児童・生徒が自分の力で並列回路を容易に作ることができる。さらに，それぞれのリード線に測定箇所を設けた事により，電圧計を正しくつないで電圧を測定することができる。また，書き直し可能なラベルにより，測定箇所および電圧計の接続箇所の誤りを防ぐことが可能となる。【０００８】「他の実施形態」
図１の実施形態では，並列回路用の自作リード線であったが，他の実施形態では，直列回路用のリード線においても，測定箇所を設けたものでも良い。
【図面の簡単な説明】
【０００９】
【図１】  この考案の一実施形態を示す正面図である。
【図２】  従来の方法を示す正面図である。
【符号の説明】
【００１０】  １  リード線                ２  測定箇所
３  ラベル                  ４  みの虫クリップ
【図１】
0003123644.tif 000003
【図２】
0003123644.tif 000004
【手続補正書】
【提出日】平成18年4月13日(2006.4.13)
【手続補正１】
【補正対象書類名】実用新案登録請求の範囲
【補正対象項目名】全文
【補正方法】変更
【補正の内容】
【実用新案登録請求の範囲】
【請求項１】
リード線を赤と黒に色分けし，三つ叉の形状を有する並列回路用自作リード線。
【請求項２】
電圧計等の測定機器をつなぎやすくするため，リード線の中間の皮膜をはがし，その部分をハンダ処理したことを特徴とする請求項１に記載の並列回路用自作リード線。
【請求項３】
電流の流れる方向を把握しやすくするため，みの虫クリップを赤と黒に色分し，リード線の皮膜をはがした部分に書き直し可能なラベルを貼った請求項１に記載の並列回路用自作リード線。
(57)【要約】【課題】  本考案は、シャツにカフスを手の甲につけることにより、自転車乗車時や車椅子を押す際、夏の強い直射日光を素肌に当たらない様にし、日焼け防止をする。【解決手段】  添付図に従って縫製例を説明する。１に心地を貼り、３のテープを中指が入るようにし、２を縫い合わせ袖下縫い目より前袖側２〜４ｃｍの所にカフスとじ部分にくるように袖と付ける。着用時中指を入れ自転車走行中カフスがめくれず、カフスを折ることで少し肌寒いクーラーの効いた室内でも着用可能にしたシャツである。【選択図】図３
0003123642.tif 000002
【実用新案登録請求の範囲】
【請求項１】
袖口先カフスを長めに取り、手の甲が隠れる。又、自転車乗車時に風によりカフスが捲くれる為カフス先端部分にテープを縫着し、中指が入れられる事を特徴にしたシャツ。
【請求項２】
カフス付けの閉じ部分を袖下縫い目より内側（前側）２〜４ｃｍずらして縫着する事でカフス閉じ部分が手首中心にくるため、自転車のハンドルを握った状態でも手の甲をすっぽりと包む。そしてカフスをまくった時、ドットボタンなどでカフスのあきを簡単に留め、普段使いに着用可能となるシャツ。
【考案の詳細な説明】
【技術分野】
【０００１】  本考案は、袖、カフスを長くし、覆う事により直射日光を防ぐ事を目的にしたシャツである。
【背景技術】
【０００２】  日焼け防止の為、夏用手袋と長袖シャツを組み合わせていると、手袋の着用が面倒なうえ、シャツと手袋の色のバランスも悪く不便である。又、しまう面からみても手袋はなくしやすい物でした。
【考案の開示】
【考案が解決しようとする課題】
【０００３】  本考案のシャツを着用するだけで、信号待ちなど日陰がない時でも手の甲まで直射日光があたらず、脱いだ時もシャツと一体化しているので手袋が無くなる心配もない。シャツとしてトータルバランスした色使いのカフスを着ける事ができ、前述の欠点を解決しようとするものである。
【課題を解決するための手段】
【０００４】  カフスを長めに縫着し指側に中指が入るテープをつけ、中指を入れることで自転車走行中において風にあおられる事無く手の甲まで直射日光に当たらなくなる。カフスをまくる事で普段使いのシャツとしてクーラーの効いた室内に着用できる、夏用手袋を持ち歩かなくてすむ。
【考案の効果】
【０００５】  上述の様に日差しがきつい夏等、自転車での外出時このシャツをきることで、手の甲まで直射日光を浴びずにすむ
【考案の実施するための最良の形態】
【０００６】  手の甲部分をカフスにする。カフス閉じ部分を前袖側２〜４ｃｍずらして袖と付ける事で、自転車のハンドルを握った時カフスが手の甲を覆い、指側に中指が入るテープ付けしてあるので風で捲られず、又カフスをまくれば室内でも着られる。
【実施例】
【０００７】  添付図に従って縫製例を説明する。１に心地を張り、３のテープを中指が入るようにする。２と合わせ４の部分にドットボタン等をする。そして袖下縫い目より２〜４ｃｍ前袖側にカフス閉じ部分ができる様、袖と縫い合わせる。
【図面の簡単な説明】
【０００８】
【図１】本考案の実施形態の一例を示す斜視図である。
【図２】図１のカフス部を折り返した状態を示す斜視図である。
【図３】図１のカフスの要部を拡大して手のひら側を示す斜視図である。
【図４】図１の要部を拡大して手の甲側を示す斜視図である。
【図５】カフスの手の甲に当たる部分の平面図である。
【図６】カフスを伸ばした時、表側となる部分の平面図である。
【符号の説明】
【０００９】      １⇒カフス表側
２⇒カフス裏側
３⇒袖を差し込む為のテープ
４⇒ドット（スナップ等）
５⇒袖
【図１】
0003123642.tif 000003
【図２】
0003123642.tif 000004
【図３】
0003123642.tif 000005
【図４】
0003123642.tif 000006
【図５】
0003123642.tif 000007
【図６】
0003123642.tif 000008
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
袖口カフスを手の甲が隠れる様に長めにしたシャツにおいて、カフス内に中指を入れらる部分をテープで縫着した事を特徴としたシャツ。
【請求項２】
袖口カフスを手の甲が隠れる様に長めにしたシャツにおいて、カフスのあきを止められるようにしたボタンは、一度まくった時にも止められるように共有できるものとしたシャツ。
(57)【要約】      （修正有）【課題】加熱前のいわゆる常温での箔版貼り作業であるから、経験や勘に頼らず、女性や経験の浅い技術者でも、十分安全でしかも簡単に作業できる。【解決手段】熱伝導式箔版貼り装置を使用する事により、加熱前のチェース１１上に箔版（銅版・亜鉛版・マグネシウム版等）１２の裏面にボンディングテープを置き、充分位置決めをした後加熱開始ボタン４を押して加熱をしボンディングテープを溶かしチェースと箔版の溶着を完了させる事が出来る。【選択図】図３
0003123649.tif 000002
【実用新案登録請求の範囲】
【請求項１】
本体は箱型内部に、発熱体へ通電時間を自由に設定可能な電気回路を内蔵し、箱型前面部には発熱体への通電により得られる、温度設定制御目的に電源パイロットランプ・加熱開始押しボタン・加熱時間設定タイマー・加熱完了ブザーが設置されており、本体箱型上部には箔版を貼り込む為の鉄板収納部が有り、中央には上昇・下降が可能なフロート板の上に発熱体が設置されており、鉄板収納部に箔版を貼り込む鉄板をスライドさせて収納する動きを、可動アームに伝えその移動する力が作用し、フロート板を押し上げ発熱体に密着させる事により発熱を鉄板に伝導させる構造、すなわち熱伝導式箔版貼り装置である。
【考案の詳細な説明】
【技術分野】
【０００１】  箔押し版を加熱前に安全にしかも簡単に任意の場所に装着した後、加熱する事によりボンディングテープが溶着し箔押し版を固定可能とした熱伝導式箔押し版貼装置
【背景技術】
【０００２】  従来箔押し（熱転写技術において）箔フィルムから一部分の文字・記号・絵柄等を印刷用紙や紙器等に熱転写するために箔押し版（約１２０℃に加熱するために（銅版・亜鉛版・マグネシュウム版等）の使用が最低の条件であった。【０００３】  しかるに箔押し版を鉄板（以下チェースと呼ぶ）に貼る作業においては、１００℃以上の熱により溶着する特殊な両面テープ（ボンディングテープ）の使用以外に他に方法は無いのが現状である。【０００４】  市販されておる箔押し専用機械にしても、印刷機連動箔押し機械においても、箔フィルムから加熱箔版により、一部の文字・記号・絵柄等を印刷用紙・紙器等に熱転写させるべく一定温度を保つ事が発熱体の機能で、又その主旨に沿った設計であり箔版を貼る作業は目的外であった。【０００５】  いずれの箔押し機械においても、箔版の貼り込み作業では機械内部の発熱体にチェース▲１１▼をセットし加熱後（約１２０℃）に取り出し、箔版▲１２▼の裏面に熱により溶着する特殊な両面テープ（ボンディングテープ）▲１３▼を貼りチェース▲１１▼と箔版（銅版・亜鉛版・マグネシュウム版等）▲１２▼を溶着させる。（図４）【０００６】  しかるに箔版（銅版・亜鉛版・マグネシウム版等）▲１２▼を貼るチェース▲１１▼は、約１２０℃に加熱されており版を貼る作業は火傷の危険性等あり、又ボンディングテープ▲１３▼の特性である一度溶着したら移動する事が出来ない欠点を有しておる為に、箔版▲１２▼の貼り込み、位置決めにおいては長年の経験と勘に頼る為、箔版▲１２▼の位置がずれたり（図５）個人の技術差により材料や時間のロスが箔押し版貼り作業の大きな問題点であった。
【考案の開示】
【考案が解決しようとする課題】
【０００７】  現在市販の箔押し機械においては、約１２０℃に加熱したチェース▲１１▼を機械から取り出した後に、箔版（銅版・亜鉛版・マグネシウム版等）▲１２▼の裏面に熱で溶着する特殊な両面テープ（ボンディングテープ）▲１３▼で貼り込む作業（図４）であるが為、火傷の危険や位置決めが充分出来ないのが現状である。【０００８】  発想の転換から、加熱前いわゆる常温での箔版貼り作業を可能にすべく、図１の熱伝導式箔版貼り装置を使用する事により、チェース▲１１▼を図２の様にセットし機械本体の発熱体を使用しての作業ではなく、常温のチェース▲１１▼上にて箔版とチェースの目印を良く合わせた後（図６）、加熱スイッチ▲４▼を入れ加熱してボンディングテープ▲１３▼の溶着により、チェース▲１１▼と箔版▲１２▼が一体化する。（図３）
【考案の効果】
【０００９】  加熱前いわゆる常温での箔版貼り作業であるから、経験や勘に頼らず、女性や経験の浅い技術者でも、充分箔版貼り作業を発熱装置の開発により安全でしかも簡単な作業を可能とした。
【考案を実施するための最良の形態】
【００１０】  加熱前の作業であり、機械内の発熱体を使用するもので無い理由から、箔押し版の位置決めが正確に行え、加熱中の時間は他の仕事の準備にあてられるので、加熱終了ブザーを待って箔押し作業をスムーズに行える。
【図面の簡単な説明】
【図１】本発明に係わる熱伝導式箔版貼り装置
【図２】本発明に係わる熱伝導式箔版貼り装置に加熱前チェース収納完了図
【図３】本発明に係わる熱伝導式箔版貼り装置に箔版位置決め完了図
【図４】チェースに箔版を貼り込図
【図５】加熱後チェースに箔版貼りの位置決め不良を示す図
【図６】加熱前チェースに箔版貼りが容易に出来るのを示す図
【図７】発熱ヒーター上昇・下降可動アーム側面図
【図８】フロート板に取り付けをしたヒーター図
【符号の説明】
１  本体
２  電源パイロットランプ
３  通電パイロットランプ
４  加熱開始押しボタン
５  加熱完了ブザー
６  加熱時間設定タイマー
７  チェース収納部（スライド式）
８  発熱ヒーター
９  発熱ヒーター上昇・下降可動アーム
１０  安全カバー
１１  チェース
１２  箔版
１３  ボンディングテープ
【図１】
0003123649.tif 000003
【図２】
0003123649.tif 000004
【図３】
0003123649.tif 000005
【図４】
0003123649.tif 000006
【図５】
0003123649.tif 000007
【図６】
0003123649.tif 000008
【図７】
0003123649.tif 000009
【図８】
0003123649.tif 000010
(57)【要約】【課題】  従来、温浴効果のあるマットレスはベッド用として使われていたが、ラジウム鉱石を含んだマットレスを浴槽内に敷くことによって家族で短時間においてホルミシス効果を得て、稀元素鉱物天然放射を体内にとり込むことで弱くなった細胞を活性化させ体内の有害物を分解して病気になりにくい体質に改善することを目的としたものである。発汗作用によって温熱治療効果・痩身効果・癒し効果など健康維持・自然治癒力増進の効果が得られるシステムを提供する。【解決手段】  ラジウム鉱石を含んだ弾性体の密度を高くし浴槽内で使用できるマットレスを作った。サウナほど室温を上げなくても、ラジウム鉱石を風呂の中であたためることにより鉱石から自然に発生されるマイナスイオン・遠赤外線効果を最大限に活かせることを特徴とする。また、温泉浴場と違い家庭で利用できることから、建設コスト・ランニングコストも低い為、営業上のメリットも大である。【選択図】  図１
0003123645.tif 000002
【実用新案登録請求の範囲】
【請求項１】
自然放射物質の粉末を練りこんだ弾性体によるマット材を、浴槽の中に敷くことによって、ラジウム温泉に入るのと同じ環境を作り上げてくれるマットレス
【請求項２】
弾性体によるマット材に鉱石を加え、比重を高くすることによって、浴槽内で沈めることのできるマットレス
【考案の詳細な説明】
【技術分野】
【０００１】
本考案は、二つの性質の違った鉱石の粉末を弾性体によるマット材に練りこんで温浴効果が得られるよう、また家庭において入浴時に使用できるように改良されたマットレスに関するものである。
【背景技術】
【０００２】
従来、ラジウムの優れた効果を健康のために利用する手段として、布地、シート、紙などに、点状、線状、あるいは皮膜状に貼着し、それらを衣料、寝具、身の回りなどに用いる健康材料が開発されている。
【特許文献１】特許公開２０００−１６７０７０号公報
【特許文献２】登録実用新案第３１１５９３２号
【考案の開示】
【考案が解決しようとする課題】
【０００３】
ラジウム鉱石を衣料や寝具などに入れるのでは温浴効果や殺菌作用の効果を充分出すことはできなかった。解決しようとする問題点は、健康材料をマットに装着した場合には、放射線やマイナスイオンの消臭効果や水湯の浄化効果もあり、身体の副交感神経の働きを発揮して、安眠・体質改善・疲労回復・保温のほかに殺菌作用もあり、天然放射性稀有元素鉱物の効能を極めて効果的に享受することができる点である。
【課題を解決するための手段】
【０００４】
ベッドマットよりも弾性体の外寸・厚みを小さくすることによって密度を高くして浴槽の底に湯の中で沈むようにし、マット材の中に二種類のラジウム鉱石(二股鉱石・紫光石)の粉末を練りこむ、または表面に塗布する。
【考案の効果】
【０００５】
マットの中に、二種類の違った作用のあるラジウム鉱石(二股鉱石・紫光石)の粉末を混ぜることで、相乗効果が起こり、風呂内で遊離基反応することと水の分解作用で水質の浄化ができる。    
【０００６】
鉱石を含んだマットレスを浴槽の底に敷き湯の中に沈めることによって、ラドンの適用量が温浴中に人体呼吸により入り血液中または皮膚を通して組織内に吸収されると、入浴開始後、発汗作用が起こり、快い温感を覚えると同時に周囲の湯をイオン化してくれ、まるで、ラジウム温泉に入るのと同じ環境を作り上げてくれる。
【０００７】
二股鉱石の含有する炭酸カルシウムが入浴中に体内に経皮進入し、皮膚血流の増加を招き、新陳代謝が活発となり、疲労回復・疾病予防治癒が行われ、イオン化することで、浄化・高い温浴効果をもたらす。
【０００８】
紫光石は、殺菌浄化する特性を持っている。
【０００９】
ラドンが全身を巡り、身体も温まり血液の循環が盛んになるので、微量放射線を含有するお湯は、ホルミシス効果が期待できる。
【００１０】
ラジウムを含むマットはラドンというガスを半永久的に放出するため、長期間にわたり使用することができる。
【考案を実施するための最良の形態】
【００１１】
図1に本考案の実施形態を例示する。図１は自然放射物質の粉末を練りこんだ弾性体でつくられたマットレスである。弾性体によるマット材に二股鉱石と紫光石等を加え、比重を高くすることによって、浴槽内で沈むことができるものである。図2は、マットレスをたてた状態であり、頭部から膝部分にマットレスを敷くと、その部分に温浴効果をもたらす。図3は、マットレスを浴槽の底部に水平に敷いた状態であり、身体が温まり血液の循環が盛んになってホルミシス効果が期待できる。
【図面の簡単な説明】
【００１２】
【図１】本考案の実施形態を例示するマットレスの図
【図２】マットレスを浴槽内に敷いた図
【図３】マットレスを浴槽の底に敷いた図
【符号の説明】
【００１３】
１  マットレス
２  マット材
【図１】
0003123645.tif 000003
【図２】
0003123645.tif 000004
【図３】
0003123645.tif 000005
【手続補正書】
【提出日】平成18年4月14日(2006.4.14)
【手続補正１】
【補正対象書類名】実用新案登録請求の範囲
【補正対象項目名】全文
【補正方法】変更
【補正の内容】
【実用新案登録請求の範囲】
【請求項１】
浴槽の中に沈めて使用するマットレスにおいて、弾性体からなるマット材に自然放射物質の粉末を練り込んでなるマットレス。
【請求項２】
前記  自然放射物質の粉末を、全体としての比重が１以上になるように練り込んだ請求項１に記載のマットレス。
【手続補正２】
【補正対象書類名】明細書
【補正対象項目名】００１１
【補正方法】変更
【補正の内容】
【００１１】        図１に本考案の実施形態を例示する。図１は自然放射物質の粉末３を練り込んだ弾性体でつくられたマットレス１である。弾性体によるマット材２に二股鉱石と紫光石を加え、比重を高くすることによって、浴槽内で沈むことができるものである。図２は、マットレスを立てた状態であり、頭部から膝部分にマットレスを敷くと、その部分に温浴効果をもたらす。図３は、マットレスを底部に水平に敷いた状態であり、身体が温まり血液の循環が盛んになってホルミシス効果が期待できる。
【手続補正３】
【補正対象書類名】明細書
【補正対象項目名】００１３
【補正方法】変更
【補正の内容】
【００１３】１  マットレス
２  マット材
３自然放射物質の粉末
【手続補正４】
【補正対象書類名】図面
【補正対象項目名】図１
【補正方法】変更
【補正の内容】
【図１】
0003123645.tif 000006
(57)【要約】      （修正有）【課題】鋭い刃で切開と同時に切断された毛細血管をバッテリーで電気的に加熱された刃腹部の側面で止血、凝固することで出血量の減少と切開部の視野を確保する手術器具の提供。【解決手段】熱伝導の良い材質を使用した鋭く研磨加工した１の刃部に３の熱感知センサー、４のヒーター、５の発光ダイオード、６のスイッチ（オン・オフ）、７のバッテリーが組み込まれた２の筐体部で構成されている。操作方法は、２の筐体部に組み込まれている６のスイッチを押しつづけると４のヒーターが巻きつけられている１の刃部付け根に電流が流れ加熱される。１の刃部が加熱されていることを認識するには５の発光ダイオードが発光されていることで確認ができる。また、加熱された刃部が過剰に加熱しないよう刃部の付け根に取り付けた３の熱感知センサーの働きで過剰的に上昇した温度を自然に低下するまで６のスイッチが自動的にオフとなり刃部の温度を一定に保つ。【選択図】図２
0003123648.tif 000002
【実用新案登録請求の範囲】
【請求項１】
本考案は、刃部の付け根にヒーターと熱感知センサーのコイルが螺旋状に巻かれ発光ダイオードに接続されスイッチへとつながれている。スイッチをオンにすると筐体部に蓄積されているバッテリーから電流が流れ発光ダイオード、熱感知センサー、ヒーターの順で刃部が加熱される手術器具である。
【考案の詳細な説明】
【技術分野】
【０００１】  本考案は、筐体部にバッテリーを蓄積し、そのバッテリーで電気的に刃部を加熱することで切開と同時に加熱された刃腹部で止血、凝固することで出血量の減少と切開部の視野を確保することが出来る手術器具に関するものである。
【背景技術】
【０００２】  従来、切開、止血、凝固に用いられている代表的な手術器械として電気メスがある。しかし、電気メスを使用するには患者に電流を流して使用するため患者への火傷と電気的な負担が多大に影響を与えている。また、使用する術者にも使用範囲に限りがあるのと操作部の電気メスホルダーから装置本体まで接続されたコードの長さ制限があるため、術者の操作に支障を来たしている事が日常的に起こっている。
【考案の開示】
【考案が解決しょうとする課題】
【０００３】  従来の電気メスを使用するには患者に電流を流して使用するため患者への火傷と電気的な負担が多大に影響を与えている。また、使用する術者にも使用範囲に限りがあるのと操作部の電気メスホルダーから装置本体まで接続されたコードが引っ張られることで術者の切開する操作に支障を来たす事が日常的に起こっている。従い、患者に電流を流さず且つ術者に支障を来たさないコードレスの手術器具の可能により切開と同時に行なわれる止血、凝固の効果による出血量の減少と切開部の視野を確保出来うる手術器具で前述の欠点を解決しょうとするものである。
【課題を解決するための手段】
【０００４】  本考案は、鋭い刃で切開と同時に切断された毛細血管を電気的に加熱された刃腹部の側面で止血、凝固することで毛細血管が熱でふさがり出血量の減少効果と切開部の視野を確保できることを可能にした。また、刃部を加熱させる熱エネルギーを筐体部に蓄積されたバッテリーでコードレスとなり術者の操作に支障を来たさないような手術器具として問題を解決している。
【考案の効果】
【０００５】    前述のように、鋭い刃で切開と同時に切断された毛細血管を筐体部に蓄積されたバッテリーで変換された熱エネルギーが加熱された刃腹部の側面で止血、凝固しながら切開していくことにより出血の減少効果と筐体部にバッテリーを蓄積させたためにコードレスとなったことで術者の操作が自在に出来る事で術者のストレスの削減につながる。また患者に電流を流さずにすむために火傷を起こさず役立つようになった。
【考案の実施するための最良の形態】
【０００６】本考案は、刃部と筐体部の２つで構成される。刃部は、熱伝導の良い材質を鋭く研磨加工した刃を筐体部に外れないように固定されている。筐体部は、バッテリー、ヒーター、熱感知センサー、発光ダイオード、スイッチ（オン・オフ）で内蔵されている一体型である。構造は、刃部に熱感知センサーとヒーターが付け根から端まで螺旋状に硬く巻き筐体部から外れないよう固定されてある。刃部の表面は、非常に滑らかなに研磨されており熱で焼けて附着した汚物をきれいに拭うことにより刃部の鋭さを保つことができる。
【実施例】
【０００７】以下、添付図面に従って一実施例を説明する。１は、熱伝導の良い材質を使用した鋭く研磨加工した刃で２の筐体部に固定されている。２は、筐体部で３の熱感知センサー、４のヒーター、５の発光ダイオード、６のスイッチ（オン・オフ）、７のバッテリー、で構成されている。【０００８】操作方法は、２の筐体部に組み込まれている６のスイッチを押しつづけると４のヒーターが巻きつけられている１の刃部の付け根の４のヒーターに電流が流れ加熱される。【０００９】１の刃部が加熱されていることを認識は５の発光ダイオードが発光されていることで確認ができる。また、１の刃部が過剰的に加熱しないよう１の刃部の付け根に取り付けた３の熱感知センサーの働きで過剰的に上昇した温度を自然に低下するまで６のスイッチが自動的にオフとなり１の刃部の温度を一定に保つようにする。【００１０】６のスイッチをオフにした場合は、１の刃部は、自然放熱で冷めていく。１の刃部の表面は、非常に滑らかなに研磨されており熱で焼けて附着した汚物をきれいに拭うことにより１の刃部の鋭さを保つことができる。【００１１】本考案の一実施例は上述の如き構成からなるものであるが、１の刃部を加熱しなくても切開にもちいることは勿論である。
【図面の簡単な説明】
【００１２】
【図１】  本考案のブロック回路図
【図２】  本考案の正面図
【符号の説明】
【００１３】  １  刃
２  ハンドル筐体
３  熱感知センサー
４  ヒーター
５  発光ダイオード
６  スイッチ
７  バッテリー
【図１】
0003123648.tif 000003
【図２】
0003123648.tif 000004
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
刃部の付け根に刃部を加熱するためのヒーターコイルと刃部が加熱すると発光する発光ダイオードと刃部が所定以上の温度を感知したときに温度制御する熱感知センサーとヒーターコイル及び発光ダイオードの電源用バッテリーとスイッチを有し、発光ダイオードと熱感知センサー及びヒーターコイルがスイッチを介してバッテリーに接続されることを特徴とする刃部が加熱される構造を有する手術器具である。
(57)【要約】【課題】シート材から切削加工される所謂長モダンに立体的な装飾を施すこと。【解決手段】耳掛け部（２）からテンプル部（３）までシート材により一体的に形成され且つ端部に丁番（４）を有する芯金（５）を備えた所謂長モダン（１）であって、該長モダン合口部６外側に前方に向かい突出し所望の形状、即ち、ロゴ、動物、植物、キャラクターの中の何れか一つの模様（８）の外形形状に似た形状に切削加工した樹脂装飾片（７）を前記長モダン１から連設して設けた。【選択図】図２
0003123654.tif 000002
【実用新案登録請求の範囲】
【請求項１】
耳掛け部からテンプル部までシート材により一体的に形成され且つ端部に丁番を有する芯金を備えた所謂長モダンであって、該長モダン合口部外側に前方に向かい突出し所望の形状に切削加工された樹脂装飾片が前記長モダンから連設して設けられた事を特徴とする装飾長モダン。
【請求項２】
前記樹脂装飾片の所望形状が、ロゴ、動物、植物、キャラクターの中の何れか一つの模様の外形形状に似た形状に切削加工された物である事を特徴とする請求項１記載の長モダン。
【請求項３】
上記長モダンと丁番を介し回動可能に連結されるヨロイの形状が上下に少なくとも二股以上に形成されたものであり上記装飾長モダンと組み合わされた事を特徴とする請求項１又は２に記載の長モダンを装着したメガネ。
【考案の詳細な説明】
【技術分野】
【０００１】  本考案は、耳掛け部からテンプル部までシート材により一体で形成される、所謂装飾長モダン、及びそれを装着したメガネの構造に関する。
【背景技術】
【０００２】  従来、樹脂製のシート材からなるテンプルバー（長モダン）は、金属製のテンプルバーに比べて、装飾法は限られてしまい、素材そのものの持つ色や模様を楽しみ、又、それを基準にして選ぶことが多かった。素材の材料が金属に比較して弱いという性格上切削や折り曲げ加工がし難かった。しかし、一方では、樹脂製のテンプルバー（長モダン）は金属製のテンプルバーに比べて見た目にも装着した肌触りも暖かみが感じられ、今なお需要は増え続けている。
【考案の開示】
【考案が解決しようとする課題】
【０００３】  装飾法が限られている樹脂製のシート材からなるテンプルバー（長モダン）に立体的な装飾を施し、ユーザーの好みのニーズを拡げるようにする事。
【課題を解決するための手段】
【０００４】  上記課題を解決する為に本考案に於いては、耳掛け部からテンプル部までシート材により一体的に形成され且つ端部に丁番を有する芯金を備えた所謂長モダンであって、該長モダン合口部外側に前方に向かい突出し所望の形状に切削加工された樹脂装飾片が前記長モダンから連設して設けられた事を特徴とする装飾長モダンを提供する。更に、前記装飾片の所望形状を、ロゴ、動物、植物、キャラクターの中の何れか一つの模様の外形形状に似た形状に切削加工する事によりユーザーの装飾の好みのニーズを拡げた。
【考案の効果】
【０００５】  上記提案した本考案の装飾長モダンを採用する事により、シートテンプルバーに立体的な装飾樹脂片を簡単に施すことが出来るようになり、しかも、樹脂の表面等を傷つける事無く装飾が可能で、樹脂素材の強度を弱めることも無い。又、前記装飾樹脂片は平らな面を有する為装飾模様も描き易く、曲面をつけられたテンプルバー上に描かれた場合と異なり、文字・模様が歪曲される事が無くはっきり視認出来る。
【考案を実施するための最良の形態】
【０００６】  耳掛け部からテンプル部までシート材により一体的に形成され且つ端部に丁番を有する芯金を備えた所謂長モダンであって、該長モダン合口部外側に前方に向かい突出し所望の形状、即ち、ロゴ、動物、植物、キャラクターの中の何れか一つの模様の外形形状に似た形状に切削加工された樹脂装飾片が前記長モダンから連設して設けられた事を特徴とする装飾長モダン。
【実施例１】
【０００７】  図１は本考案の実施例の長モダン１の平面図であり、耳掛け部２からテンプル部３までシート材により一体的に形成され且つ端部に丁番４を有する芯金５を備えた所謂長モダンであって、該長モダン合口部６外側に前方に向かい突出し所望の形状に切削加工された樹脂装飾片７が前記長モダン１から連設して一体的に削りだされて形成されている。そして、前記長モダン合口部面ｓと樹脂装飾片の内面ｕが接して平面から見るとＬ字をなすようにほぼ直角に形成されている。【０００８】  図２は図１の正面図であり、樹脂片７の表面には所望の形状の模様（この場合はバラが描かれているが勿論これにこだわるものではない）８に外形が切削加工されており、その中に模様８が描かれている。この外形の形状は略合っていれば良く、丸や四角の形状でも構わない。そして好ましくは、それに続く絵柄９としてテンプル部３に枝葉や他の関連する模様が付けられても良い。そして前記樹脂装飾片７はヨロイ部になるべく接触しない方が好ましく、長モダンをいっぱいに開ききった状態でも接する位で良い。樹脂片７の表面だけではなく、裏面にも模様が付けられても良い。メガネを閉じて収納する場合でも隠れたオシャレとして引き立つ。【０００９】  図３から図４迄は、樹脂装飾片部の模様の変化例を表したものであるが、勿論これに限定されるものではなく動物やキャラクターアイテムも好ましく、この他にロゴ、それに宝石や貴金属を取り付けても良い。又はそれらの組み合わせでも良い。【００１０】  図５及び図６は本考案の装飾長モダンと、丁番を介し回動可能に連結されるヨロイ１０が上下に少なくとも二股以上に形成されたもののコンビネーションであり、これに限定されるものではないが、上記装飾長モダンと組み合わされることによりマッチングしたデザインとなる。【００１１】  図７及び図８は従来の長モダン１ａの平面図及び正面図であり、本考案の装飾長モダンと比較すると華やかさに欠け、いかに装飾性が乏しいかが解かる。【００１２】  以上の様に、本考案の装飾長モダンは簡単で立体的な装飾模様を提示出来眼鏡の装飾デザインの枠を広めることができる。
【図面の簡単な説明】
【００１３】
【図１】本考案の実施例の平面図
【図２】図１の正面図
【図３】本考案の応用例の平面図
【図４】本考案の応用例の平面図
【図５】本考案の他の実施例の平面図
【図６】本考案の他の実施例の正面図
【図７】従来の長モダンの平面図
【図８】従来の長モダンの正面図
【符号の説明】
１            装飾長モダン
１ａ          従来の長モダン
２            長モダン耳掛け部
３            長モダンテンプル部
４            丁番
５            芯金
６            合口部
７            樹脂装飾片
８            樹脂装飾片部模様
９            テンプル部模様
１０          ヨロイ
【図１】
0003123654.tif 000003
【図２】
0003123654.tif 000004
【図３】
0003123654.tif 000005
【図４】
0003123654.tif 000006
【図５】
0003123654.tif 000007
【図６】
0003123654.tif 000008
【図７】
0003123654.tif 000009
【図８】
0003123654.tif 000010
(57)【要約】【課題】  本考案は子供シューズと鼻緒を合体させることにより草履との調和を保ち統一感を生むものである。【解決手段】  本考案は子供シューズ１に鼻緒２を取り付けることにより、祭用草履との様相を一本化し、装いと共に見栄えをよくし祭全体の統一感を出すものである。【選択図】  図１
0003123660.tif 000002
【実用新案登録請求の範囲】
【請求項１】
子供用のシューズの甲側上面に、祭用草履の鼻緒を取り付けたことを特徴とする祭用子供シューズ。
【請求項２】
特定の祭用足袋の色合いに合わせたシューズ生地と鼻緒を有する請求項１に記載の祭用子供シューズ。
【請求項３】
シューズ生地を黒色とし、鼻緒を赤色とした請求項２に記載の祭用子供シューズ。
【請求項４】
底と先端と下部周囲をゴムコーティングし他の部分を布地とした請求項１〜３のいずれかに記載の祭用子供シューズ。
【考案の詳細な説明】
【技術分野】
【０００１】
本考案は、お祭りの際特に幼児子供が履く為のシューズで子供シューズに鼻緒を取付けたものである。
【背景技術】
【０００２】
大人は祭用の草履を履いて参加するが、幼児子供の場合は危険を避ける為に草履の着用が禁止されており、各自が通常履いているシューズを着用していた。
【考案の開示】
【考案が解決しようとする課題】
【０００３】
幼児子供が祭用草履を着用できないのは、巡行の際特に勢いよく走る時に草履の場合抜けやすかったり、又は踏まれて転倒したりするので危険防止の為に草履の着用が禁止されている。
そこで、本考案はシューズを草履の様相に類似することにより、履物の統一感を表現し巡行の際の安全性を高めることができる祭用子供シューズを提供するものである。
【課題を解決するための手段】
【０００４】
本考案は子供用シューズに祭用草履と同様の鼻緒を取付けることにより問題点を解決している。
【考案の効果】
【０００５】
本考案の祭用子供シューズは、幼児子供達の巡行中の安全性を確保しながら、お祭りの際着用する揃いの法被、肉襦袢、パッチ等の下着、足袋、鉢巻等の装いと共に足元が草履とシューズで一体化したことで、大人子供全員が正装した場合より一層統一感が増し、より一層見栄えをよくする。祭りにおいては全体の調和が大切であり、このシューズによって、より一層の効果を生むものである。又、巡行の際の安全性を高めることができる。
【考案を実施するための最良の形態】
【０００６】
本考案の実施の形態を実施例に基いて証明する。
【実施例】
【０００７】
本考案の祭用子供シューズを、唐津供日用とした場合を実施例に基いて説明する。唐津供日用の足袋は黒色布製を使用し、鼻緒においては赤色布製を使用する。図１、図２は本考案の祭用子供シューズの形態を示す図である。この図１、図２において１は子供用シューズであって、基本的には唐津供日用足袋の色合いに合わせた黒色布製シューズである。１１は先端部を保護するための黒色のゴムコーティングである。１２はシューズの下部の周囲を保護するための黒色のゴムコーティングである。１３はシューズ底ですべり止加工を施した黒色のゴムコーティングである。１４はシューズを履く時、脱ぐ時の行動を容易にするための黒色布製の取手である。２は祭用草履と同様の形態で赤色の布地から作成した鼻緒である。２１は前緒で１のシューズ前方部の１と１１の境目に装着する。２２は後緒で左右の後緒を１のシューズ側面後方下部と１２の境目にそれぞれ装着する。
【０００８】
特定の祭りにおいては、特定の足袋色合いに合せてシューズも足袋の色と同一のものとする。又、ゴムコーティング部についても同様とする。鼻緒についても特定の鼻緒の形態で同色の布地のものとする。
【図面の簡単な説明】
【０００９】
【図１】本考案の祭用子供シューズを示す正面図である。
【図２】本シューズ側面図である。
【符号の説明】
【００１０】
１    子供用シューズ
２    鼻緒
１１  シューズ先端ゴムコーティング部
１２  シューズ下部周囲ゴムコーティング部
１３  シューズ底ゴムコーティング部
１４  取手
２１  前緒
２２  後緒
【図１】
0003123660.tif 000003
【図２】
0003123660.tif 000004